【手続補正書】
【提出日】平成16年5月18日(2004.5.18)
【手続補正１】
【補正対象書類名】明細書
【補正対象項目名】特許請求の範囲
【補正方法】変更
【補正の内容】
【特許請求の範囲】
【請求項１】
ネットワークに接続された端末で、前記ネットワークを介して獲得された情報を音声出力する音声情報出力装置において、前記ネットワークから情報を収集する情報獲得手段と、ユーザの興味情報を蓄積する興味情報蓄積手段と、前記情報獲得手段で収集した各情報について、前記興味情報蓄積手段からの興味情報を用いて、ユーザにとっての重要度を算出する重要度算出手段と、前記情報獲得手段によって得られた情報を音声信号に変換する音声信号変換手段と、前記重要度算出手段によって得られたユーザの重要度に応じて、前記音声信号変換手段によって得られた音声信号を変更する音声信号変更手段と、前記音声信号変換手段によって得られた音声信号を出力する音声信号出力手段とを備えることを特徴とする音声情報出力装置。
【請求項２】
ネットワークに接続された端末で、前記ネットワークを介して獲得された音声情報を出力する音声情報出力装置において、前記ネットワークから音声信号と音声信号の特徴を表すキーワードを収集する情報獲得手段と、ユーザの興味情報を蓄積する興味情報蓄積手段と、前記情報獲得手段で収集した各音声信号の特徴を表すキーワードから、前記興味情報蓄積手段からの興味情報を用いて、ユーザにとっての重要度を算出する重要度算出手段と、前記重要度算出手段によって得られたユーザの重要度に応じて、前期情報獲得手段によって得られた音声信号を変更する音声信号変更手段と、前記情報獲得手段によって得られた音声信号を出力する音声信号出力手段とを備えることを特徴とする音声情報出力装置。
【請求項３】
前記音声信号変更手段の前記ユーザの重要度に応じた音声信号の変更は、音声信号の音量、音声信号の再生速度、音声信号の音声ピッチ、音声信号の音声ピッチ幅、音声信号のアクセントの強度及び音声信号の声質の少なくとも１つを変更することを特徴とする請求項１または２に記載の音声情報出力装置。
【請求項４】
前期音声信号出力手段が、少なくとも２つのスピーカーを持ち、前記音声信号変更手段が、前記重要度算出手段によって得られたユーザの重要度により、前記音声信号変換手段によって得られた音声信号の位相を変更することを特徴とする請求項１乃至３のいずれかに記載の音声情報出力装置。
【請求項５】
ユーザの興味情報は、ユーザの興味のあるキーワードとその興味の度合いを示す値の組からなることを特徴とする請求項１乃至４のいずれか記載の音声情報出力装置。
【請求項６】
重要度算出手段は、前記情報獲得手段で収集した各情報に含まれるキーワードと、前記興味情報蓄積手段からの興味情報に含まれるキーワードを調べ、各キーワードに付加されているユーザの興味の度合いを示す数値から重要度を算出することを特徴とする請求項５記載の音声情報出力装置。
【請求項７】
前記重要度算出手段は、前記情報獲得手段で収集した各音声信号の特徴を表すキーワードと、前記興味情報蓄積手段からの興味情報に含まれるキーワードを調べ、各キーワードに付加されているユーザの興味の度合いを示す数値から重要度を算出することを特徴とする請求項５記載の音声情報出力装置。
【請求項８】
ネットワークに接続された端末で、前記ネットワークを介して獲得された音声情報を出力する音声情報出力装置において、前記ネットワークから音声信号を収集する情報獲得手段と、前記情報獲得手段で獲得した音声信号から音声認識を利用して音声信号の特徴を表すキーワードを生成するキーワード生成手段と、ユーザの興味情報を蓄積する興味情報蓄積手段と、前記情報獲得手段で収集した各音声信号の特徴を表すキーワードから、前記興味情報蓄積手段からの興味情報を用いて、ユーザにとっての重要度を算出する重要度算出手段と、前記重要度算出手段によって得られたユーザの重要度に応じて、前期情報獲得手段によって得られた音声信号を変更する音声信号変更手段と、前記情報獲得手段によって得られた音声信号を出力する音声信号出力手段とを備えることを特徴とする音声情報出力装置。
【請求項９】
ネットワークに接続された端末で、前記ネットワークを介して獲得された情報を音声出力する音声情報出力方法において、前記ネットワークから情報を収集し、前記収集した各情報について、蓄積されたユーザの興味情報を用いて、ユーザにとっての重要度を予め算出しておき、前記得られた情報を音声信号に変換し、前記得られたユーザの重要度により、前記音声信号を変更して出力することを特徴とする音声情報出力方法。
【請求項１０】
ネットワークに接続された端末で、前記ネットワークを介して獲得された音声情報を出力する音声情報出力方法において、前記ネットワークから音声信号と音声信号の特徴を表すキーワードを収集し、前記各音声信号の特徴を表すキーワードから、蓄積されたユーザの興味情報を用いて、ユーザにとっての重要度を予め算出しておき、前記得られたユーザの重要度により、前期音声信号を変更し、出力することを特徴とする音声情報出力方法。
【手続補正２】
【補正対象書類名】明細書
【補正対象項目名】００１４
【補正方法】変更
【補正の内容】
【００１４】
【発明の実施の形態】
本発明の請求項１に記載の発明は、ネットワークに接続された端末で、前記ネットワークを介して獲得された情報を音声出力する音声情報出力装置において、前記ネットワークから情報を収集する情報獲得手段と、ユーザの興味情報を蓄積する興味情報蓄積手段と、前記情報獲得手段で収集した各情報について、前記興味情報蓄積手段からの興味情報を用いて、ユーザにとっての重要度を算出する重要度算出手段と、前記情報獲得手段によって得られた情報を音声信号に変換する音声信号変換手段と、前記重要度算出手段によって得られたユーザの重要度に応じて、前記音声信号変換手段によって得られた音声信号を変更する音声信号変更手段と、前記音声信号変換手段によって得られた音声信号を出力する音声信号出力手段とを備えることを特徴とする音声情報出力装置としたものであり、ユーザの重要度に応じて音声信号を変化させることにより、ユーザの注意を喚起し、ユーザが確実に情報を取得するという作用を有する。
【手続補正３】
【補正対象書類名】明細書
【補正対象項目名】００１５
【補正方法】変更
【補正の内容】
【００１５】
請求項２に記載の発明は、ネットワークに接続された端末で、前記ネットワークを介して獲得された音声情報を出力する音声情報出力装置において、前記ネットワークから音声信号と音声信号の特徴を表すキーワードを収集する情報獲得手段と、ユーザの興味情報を蓄積する興味情報蓄積手段と、前記情報獲得手段で収集した各音声信号の特徴を表すキーワードから、前記興味情報蓄積手段からの興味情報を用いて、ユーザにとっての重要度を算出する重要度算出手段と、前記重要度算出手段によって得られたユーザの重要度に応じて、前期情報獲得手段によって得られた音声信号を変更する音声信号変更手段と、前記情報獲得手段によって得られた音声信号を出力する音声信号出力手段とを備えることを特徴とする音声情報出力装置としたものであり、ユーザの重要度に応じて音声信号を変化させることにより、ユーザの注意を喚起し、ユーザが確実に情報を取得するという作用を有する。
【手続補正４】
【補正対象書類名】明細書
【補正対象項目名】００１６
【補正方法】変更
【補正の内容】
【００１６】
請求項３に記載の発明は、請求項１または２に記載の音声情報出力装置において、前記音声信号変更手段の前記ユーザの重要度に応じた音声信号の変更は、音声信号の音量、音声信号の再生速度、音声信号の音声ピッチ、音声信号の音声ピッチ幅、音声信号のアクセントの強度及び音声信号の声質の少なくとも１つを変更することを特徴とするもので、ユーザの重要度に応じて音声信号を変化させることにより、ユーザの注意を喚起し、ユーザが確実に情報を取得するという作用を有する。
【手続補正５】
【補正対象書類名】明細書
【補正対象項目名】００１７
【補正方法】変更
【補正の内容】
【００１７】
請求項４に記載の発明は、請求項１乃至３のいずれかに記載の音声情報出力装置において、前記音声信号出力手段が、少なくとも２つのスピーカーを持ち、前記音声信号変更手段が、前記重要度算出手段によって得られたユーザの重要度により、前記音声信号変換手段によって得られた音声信号の位相を変更することを特徴とするもので、ユーザの重要度に応じて音声信号の位相を変化させることにより、ユーザの注意を喚起し、ユーザが確実に情報を取得するという作用を有する。
【手続補正６】
【補正対象書類名】明細書
【補正対象項目名】００１８
【補正方法】変更
【補正の内容】
【００１８】
請求項５に記載の発明は、請求項１乃至４のいずれかに記載の音声情報出力装置において、ユーザの興味情報は、ユーザの興味のあるキーワードとその興味の度合いを示す値の組からなることを特徴とするもので、ユーザにとって興味あるキーワードが定量的に取り扱うことができるので、ユーザの重要度に応じて音声信号を変化させることにより、ユーザの注意を喚起し、ユーザが確実に情報を取得するという作用を有する。
【手続補正７】
【補正対象書類名】明細書
【補正対象項目名】００１９
【補正方法】変更
【補正の内容】
【００１９】
請求項６に記載の発明は、請求項５に記載の音声情報出力装置において、重要度算出手段は、前記情報獲得手段で収集した各情報に含まれるキーワードと、前記興味情報蓄積手段からの興味情報に含まれるキーワードを調べ、各キーワードに付加されているユーザの興味の度合いを示す数値から重要度を算出することを特徴とするもので、ユーザの興味の度合いを示す数値から重要度を算出することでユーザの興味度合いを定量的に取り扱うことができ、ユーザの重要度に応じて音声信号を変化させることにより、ユーザの注意を喚起し、ユーザが確実に情報を取得するという作用を有する。
【手続補正８】
【補正対象書類名】明細書
【補正対象項目名】００２０
【補正方法】変更
【補正の内容】
【００２０】
請求項７に記載の発明は、請求項５に記載の音声情報出力装置において、前記重要度算出手段は、前記情報獲得手段で収集した各音声信号の特徴を表すキーワードと、前記興味情報蓄積手段からの興味情報に含まれるキーワードを調べ、各キーワードに付加されているユーザの興味の度合いを示す数値から重要度を算出することを特徴とするもので、ユーザの興味の度合いを示す数値から重要度を算出することでユーザの興味度合いを定量的に取り扱うことができ、ユーザの重要度に応じて音声信号を変化させることにより、ユーザの注意を喚起し、ユーザが確実に情報を取得するという作用を有する。
【手続補正９】
【補正対象書類名】明細書
【補正対象項目名】００２１
【補正方法】削除
【補正の内容】
【手続補正１０】
【補正対象書類名】明細書
【補正対象項目名】００２２
【補正方法】変更
【補正の内容】
【００２２】
請求項８に記載の発明は、ネットワークに接続された端末で、前記ネットワークを介して獲得された音声情報を出力する音声情報出力装置において、前記ネットワークから音声信号を収集する情報獲得手段と、前記情報獲得手段で獲得した音声信号から音声認識を利用して音声信号の特徴を表すキーワードを生成するキーワード生成手段と、ユーザの興味情報を蓄積する興味情報蓄積手段と、前記情報獲得手段で収集した各音声信号の特徴を表すキーワードから、前記興味情報蓄積手段からの興味情報を用いて、ユーザにとっての重要度を算出する重要度算出手段と、前記重要度算出手段によって得られたユーザの重要度に応じて、前期情報獲得手段によって得られた音声信号を変更する音声信号変更手段と、前記情報獲得手段によって得られた音声信号を出力する音声信号出力手段とを備えることを特徴とするもので、ユーザの重要度に応じて音声信号を変化させることにより、ユーザの注意を喚起し、ユーザが確実に情報を取得するという作用を有する。
【手続補正１１】
【補正対象書類名】明細書
【補正対象項目名】００２３
【補正方法】変更
【補正の内容】
【００２３】
請求項９に記載の発明は、ネットワークに接続された端末で、前記ネットワークを介して獲得された情報を音声出力する音声情報出力方法において、前記ネットワークから情報を収集し、前記収集した各情報について、蓄積されたユーザの興味情報を用いて、ユーザにとっての重要度を予め算出しておき、前記得られた情報を音声信号に変換し、前記得られたユーザの重要度により、前記音声信号を変更して出力することを特徴とする音声情報出力方法であり、ユーザの重要度に応じて音声信号を変化させることにより、ユーザの注意を喚起し、ユーザが確実に情報を取得するという作用を有する。
【手続補正１２】
【補正対象書類名】明細書
【補正対象項目名】００２４
【補正方法】変更
【補正の内容】
【００２４】
請求項１１に記載の発明は、ネットワークに接続された端末で、前記ネットワークを介して獲得された音声情報を出力する音声情報出力方法において、前記ネットワークから音声信号と音声信号の特徴を表すキーワードを収集し、前記各音声信号の特徴を表すキーワードから、蓄積されたユーザの興味情報を用いて、ユーザにとっての重要度を予め算出しておき、前記得られたユーザの重要度により、前期音声信号を変更し、出力することを特徴とする音声情報出力方法であり、ユーザの重要度に応じて音声信号を変化させることにより、ユーザの注意を喚起し、ユーザが確実に情報を取得するという作用を有する。